(57)【要約】【課題】  辞書パターンを数多く保有することなく、紙幣の判別精度を向上できるようにした。【解決手段】  紙幣Ｐが投入される投入口１０と、この投入口１０から投入された紙幣Ｐの良否を判別する鑑査部１７と、この鑑査部１７により不良と判別された紙幣Ｐを搬送する再鑑査搬送路３５と、この再鑑査搬送路３５によって搬送される紙幣Ｐを集積する再鑑査保留部３３と、この再鑑査保留部３３に集積された紙幣Ｐを鑑査部１７に送出して再度その良否を判別させる押上機構３７とを具備する。【選択図】      図２
2005157474.tif 000002
【特許請求の範囲】
【請求項１】
紙葉類が投入される投入部と、
この投入部から投入された紙葉類の良否を判別する判別手段と、
この判別手段により不良と判別された紙葉類を搬送する搬送手段と、
この搬送手段によって搬送される紙葉類を集積する集積手段と、
この集積手段に集積された紙葉類を前記判別手段に送出して再度その良否を判別させる送出手段と
を具備することを特徴とする紙葉類処理装置。
【請求項２】
紙葉類が投入される投入部と、
この投入部から投入された紙葉類の良否を判別する判別手段と、
この判別手段により不良と判別された紙葉類を搬送する搬送手段と、
この搬送手段によって搬送される紙葉類を集積する集積手段と、
この集積手段に集積された紙葉類を前記判別手段に送出して再度その良否を判別させる送出手段と、
この送出手段による紙葉類の送出しを所定回数繰り返すように制御する制御手段と
を具備することを特徴とする紙葉類処理装置。
【請求項３】
紙葉類が投入される投入部と、
この投入部から投入された紙葉類の良否を判別する判別手段と、
この判別手段により不良と判別された紙葉類を搬送する搬送手段と、
この搬送手段によって搬送される紙葉類を集積する集積手段と、
この集積手段に集積された紙葉類を前記判別手段に送出して再度その良否を判別させる送出手段と
を具備し、
前記送出手段から前記判別手段に送出される紙葉類の前後、表裏の向きは前記投入部から投入される紙葉類の向きと逆向きであることを特徴とする紙葉類処理装置。
【請求項４】
紙葉類が投入される投入部と、
この投入部から投入された紙葉類の良否を判別する判別手段と、
この判別手段により不良と判別された紙葉類を搬送する搬送手段と、
この搬送手段によって搬送される紙葉類を集積する集積手段と、
この集積手段に集積された紙葉類を前記判別手段に送出して再度その良否を判別させる送出手段と、
この送出手段による紙葉類の送出しを所定回数繰り返すように制御する制御手段と
を具備し、
前記送出手段から前記判別手段に送出される紙葉類の前後、表裏の向きは前記投入部から投入される紙葉類の向きと逆向きであることを特徴とする紙葉類処理装置。
【請求項５】
紙葉類が投入される投入工程と、
この投入工程により投入された紙葉類の良否を判別部によって判別する判別工程と、
この判別工程により不良と判別された紙葉類を搬送する搬送工程と、
この搬送工程によって搬送される紙葉類を集積部に集積する集積工程と、
この集積工程により前記集積部に集積された紙葉類を前記判別部に送出して再度その良否を判別させる送出工程と
を具備することを特徴とする紙葉類処理方法。
【発明の詳細な説明】
【技術分野】
【０００１】
本発明は、例えば、駅等に設置されて乗車券や定期券等を発行する自動券売機に適用される紙葉類処理装置及び紙葉類処理方法に関する。
【背景技術】
【０００２】
この種の自動券売機では、利用者によって例えば、紙幣が挿入されて所望の操作が行われることにより、乗車券や定期券等を発行する。挿入された紙幣は、鑑査部でその真偽、種類等が判別される。鑑査部で正券と判別された紙幣はその金種に応じて金庫内に収納され、判別不良とされた紙幣は返却されるようになっている。
【０００３】
ところで、鑑査部は、複数の光及び磁気センサと、領域別比較部と、判断部とを有して構成されている。
【０００４】
この鑑査部において、搬送路上を搬送される紙幣はその特徴量が複数の光及び磁気センサによって計測される。また、この紙幣は領域別比較部により複数の領域に分割され、当該分割された複数の領域毎に、光及び磁気センサによって計測された紙幣の特徴量と、予め得られている比較対象となる紙幣の特徴量（基準の辞書パタン）とが比較される。そして、この比較結果に基づいて判断部は、紙幣が比較対象となる紙幣と同種か否かを識別する（例えば、特許文献１参照。）。
【特許文献１】特開２０００−３２２６２０号公報
【発明の開示】
【発明が解決しようとする課題】
【０００５】
ところで、投入される紙幣はその工作精度にばらつきがあり、また流通、経年変化により表面状態、物理的な特性が変化し、基準の辞書パタンとのマッチングが取れなくなって判定不良、誤判定が起きる可能性がある。
【０００６】
従来はこれらの変動をカバーする辞書パタンを数多く持ち、どれかに合致すれば良いという判定処理を行っていた。
【０００７】
しかしながら、さまざまな変動要素をすべて辞書化するのは困難であり、判定異常で紙幣が返却されることが多々ある。
【０００８】
このため、利用者が返却された紙幣の方向、表裏などを変更して再投入することが多くなり、利用者に無用な負担を与えていた。
【０００９】
本発明は上記事情に着目してなされたもので、その目的とするところは、辞書パターンを数多く保有することなく、紙葉類の判別精度を向上できるようにした紙葉類処理装置及び紙葉類処理方法を提供することにある。
【課題を解決するための手段】
【００１０】
上記課題を解決するため、請求項１記載のものは、紙葉類が投入される投入部と、この投入部から投入された紙葉類の良否を判別する判別手段と、この判別手段により不良と判別された紙葉類を搬送する搬送手段と、この搬送手段によって搬送される紙葉類を集積する集積手段と、この集積手段に集積された紙葉類を前記判別手段に送出して再度その良否を判別させる送出手段とを具備する。
【００１１】
請求項２記載のものは、紙葉類が投入される投入部と、この投入部から投入される紙葉類の良否を判別する判別手段と、この判別手段により不良と判別された紙葉類を搬送する搬送手段と、この搬送手段によって搬送される紙葉類を集積する集積手段と、この集積手段に集積された紙葉類を前記判別手段に送出して再度その良否を判別させる送出手段と、この送出手段による紙葉類の送出しを所定回数繰り返すように制御する制御手段とを具備する。
【００１２】
請求項３記載のものは、紙葉類が投入される投入部と、この投入部から投入された紙葉類の良否を判別する判別手段と、この判別手段により不良と判別された紙葉類を搬送する搬送手段と、この搬送手段によって搬送される紙葉類を集積する集積手段と、この集積手段に集積された紙葉類を前記判別手段に送出して再度その良否を判別させる送出手段とを具備し、前記送出手段から前記判別手段に送出される紙葉類の前後、表裏の向きは前記投入部から投入される紙葉類の向きと逆向きである。
【００１３】
請求項４記載のものは、紙葉類が投入される投入部と、この投入部から投入された紙葉類の良否を判別する判別手段と、この判別手段により不良と判別された紙葉類を搬送する搬送手段と、この搬送手段によって搬送される紙葉類を集積する集積手段と、この集積手段に集積された紙葉類を前記判別手段に送出して再度その良否を判別させる送出手段と、この送出手段による紙葉類の送出しを所定回数繰り返すように制御する制御手段とを具備し、前記送出手段から前記判別手段に送出される紙葉類の前後、表裏の向きは前記投入部から投入される紙葉類の向きと逆向きである。
【００１４】
請求項５記載のものは、紙葉類が投入される投入工程と、この投入工程により投入された紙葉類の良否を判別部によって判別する判別工程と、この判別工程により不良と判別された紙葉類を搬送する搬送工程と、この搬送工程によって搬送される紙葉類を集積部に集積する集積工程と、この集積工程により前記集積部に集積された紙葉類を前記判別部に送出して再度その良否を判別させる送出工程とを具備する。
【発明の効果】
【００１５】
本発明は、判別手段で紙葉類が不良であることを判別するのに基づいて集積手段に集積し、この集積した紙葉類を判別手段に送ってその良否を再度判別するため、判別精度を向上させることができる。従って、利用者への紙葉類の返却枚数を削減でき、その分、利用者の負担を軽減できる。
【発明を実施するための最良の形態】
【００１６】
以下、本発明を図面に示す実施の形態を参照して詳細に説明する。  
図１は本発明の一実施の形態である自動券売機を示す全体構成図である。
【００１７】
この自動券売機は、駅等に設置され、購入希望者の操作および料金投入に従い、乗車券（切符、定期券など）を発行するものである。
【００１８】
上記自動券売機の前面には、固定の案内を表示する固定案内表示部１と上部、下部の２つの接客部２、３が設けられている。  
上部の接客部２には、種々の案内を表示したりするタッチパネル内蔵のカラー液晶表示部（ＬＣＤ）によって構成される表示部（接客パネル、液晶タッチパネル）４、係員を呼び出す呼出ボタン５、券を複数枚購入する際に投入する複数枚購入ボタン６が設けられている。
【００１９】
表示部４は、投入金額表示部４ａと料金釦表示部４ｂとにより構成されている。  
下部の接客部３には、プリペイドカード（ＳＦカード、ストアードフェアカード、前払いカード）、定期券が挿入されるとともに挿入されたプリペイドカード、定期券が排出されるカード挿入／排出口７、発行される新規のきっぷ等の乗車券が発行される乗車券発行口８、使用可能な紙葉類としての紙幣を表示する使用可能紙幣表示部９、紙幣を挿入する投入部としての紙幣挿入口１０、紙幣が排出される紙幣排出口１１、硬貨が投入される硬貨投入口１２、及びテンキー部１３が設けられている。
【００２０】
また、上記テンキー部１３の裏側には、釣銭放出口（図示しない）が有り、この釣銭放出口からの釣銭は受け皿（図示しない）に放出されるようになっている。
【００２１】
図２は、上記した自動券売機内に設けられる紙葉類処理装置としての紙幣自動受払装置１５を概略的に示すものである。  
紙幣自動受払装置１５は上記した紙幣挿入口１０から挿入される紙幣Ｐを取込んで後述するように処理したのち紙幣排出口１１から紙幣Ｐを返却したり釣り銭として排出するものである。
【００２２】
紙幣自動受払装置１５はその内部に紙幣挿入口１０から挿入される紙幣Ｐを取込んで分離搬送する分離手段としての分離部１６が設けられている。この分離部１６から送り出された紙幣Ｐは判別手段としての鑑査部１７に搬送される。
【００２３】
鑑査部１７は図３に示すように紙葉類の表面における光学、磁気等の物理情報パタンを光学及び磁気的に計測するセンサ部１９と、このセンサ部１９によって計測された物理情報パタンをサンプリングして予め得られている読込基準辞書パターンと比較してその比較結果を出力する比較部２０と、この比較部２０から出力された領域毎の比較結果に基づいて紙幣Ｐの種類、真偽等の判定が行う判別部２１とを有して構成される。
【００２４】
鑑査部１７を通過した紙幣Ｐは第１の搬送経路２３によって搬送される。この第１の搬送経路２３の中途部には紙葉類導入路２６ａ〜２６ｃ及び排出路２７ａ〜２７ｃを介して千円用の金庫２９、五千円用の金庫３０、一万円用の金庫３１が接続され、第１の搬送経路２３の終端部は紙幣排出口１１に接続されている。
【００２５】
ところで、上記した分離部１６の下部側には集積手段としての再鑑査保留部３３が設けられている。この再鑑査保留部３３は、搬送手段としての第２の搬送経路（以下、再鑑査搬送路という）３５を介して鑑査部１７の搬出側に接続され、鑑査部１７から再鑑査搬送路３５を介して搬送されてくる紙幣Ｐを集積させるようになっている。
【００２６】
再鑑査保留部３３に集積された紙幣Ｐは送出手段としての押上機構３７により分離部１６に押し上げられて補給されるようになっている。押上機構３７は紙幣Ｐを載置する載置プレート３９とこの載置プレート３９を昇降させる駆動シリンダ４０とを有して構成されている。この補給は分離部１６の紙幣分離動作中、或いは分離動作が終了した時点で行われる。また、この補給動作は、制御手段としての制御部４１により分離部１６に残留する紙幣Ｐがなくなるまで、或いは再鑑査で、再鑑査保留部３３から分離部１６に戻される回数が一定回数に達するまで繰り返すように制御されるようになっている。
【００２７】
また、再鑑査保留部３３に保留される紙幣Ｐの前後、表裏の向きは、投入口１０から投入される紙幣Ｐの向きとは反転された状態にあり、再鑑査される際には、初回の鑑査時とは反対側の面が鑑査されるようになっている。
【００２８】
次に、上記したように構成される紙幣自動受払装置１５の動作について説明する。
【００２９】
投入口１０から複数枚の紙幣Ｐが束状態で一括して投入されて分離部１６に送込まれると、紙幣Ｐは１枚づつ分離されて鑑査部１７へ搬送される。この鑑査部１７で紙幣Ｐの表面における光学、磁気等の物理情報パタンがサンプリングされて読込基準辞書パターンと比較され、一定の基準に従って種類及び真偽等が判定される。
【００３０】
紙幣Ｐが正券と判定された場合には第１の搬送経路２３及び導入路２６ａ（〜２６ｃ）を介してその種類に応じて金庫２９〜３１へ搬送されて収納、計数される。
【００３１】
また、鑑査部１７で異常と判断された紙幣Ｐは再鑑査搬送路３５を介して再鑑査保留部３３に集積される。再鑑査保留部３３に集積された紙幣Ｐは、押上機構３７により分離部１６における紙幣Ｐの分離動作中、或いは分離動作終了後に押し上げられて分離部１６に補給される。
【００３２】
分離部１６に補給された紙幣Ｐは再度分離されて鑑査部１７に送出される。この鑑査部１７で上記したと同様にその種類及び真偽等の判定が行われた後、金庫２９（〜３１）に収納され、或いは再鑑査保留部３３に集積される。この再鑑査動作は複数回繰り返される。なお、再鑑査操作が複数回繰り返されても、異常と判断される紙幣Ｐは返却口１１へと返却される。
【００３３】
上記したように、鑑査部１７で異常と判別された紙幣Ｐは再鑑査保留部３３に保留したのち鑑査部１７に送込んで再鑑査するため、従来のように基準辞書パターンを数多く備えることなく、判別精度を向上させることができる。
【００３４】
また、再鑑査を一定回数繰り返すため、紙幣Ｐを完全に鑑査分別する可能性が高くなる。
【００３５】
さらに、再鑑査保留部３３に戻される紙幣Ｐはその前後、表裏の向きが投入口１０から投入される紙幣Ｐの前後、表裏の向きと逆向きとなるため、再鑑査される紙幣Ｐは初回に鑑査された面とは逆側の面が鑑査されることになり、紙幣Ｐの一面側のみを鑑査するよりも鑑査精度を向上することができる。
【００３６】
従って、判別異常で返却口１１へ返却される紙幣枚数を削減でき、利用者が繰り返し紙幣Ｐを投入する回数を低減でき、負担を少なくできる。
【００３７】
なお、本発明は、上記一実施の形態に限られることなく、その要旨の範囲内で種々変形実施可能なことは勿論である。
【図面の簡単な説明】
【００３８】
【図１】本発明の一実施の形態である自動券売機を示す外観図。
【図２】同紙幣入出金機を示す構成図。
【図３】同鑑査部の構成を示すブロック図。
【符号の説明】
【００３９】
Ｐ…紙幣（紙葉類）、１０…投入口（投入部）、１７…鑑査部（判別手段）、３３…再鑑査保留部（集積手段）、３５…第２の搬送経路（搬送手段）、３７…送出手段、４１…制御部（制御手段）。
【図１】
2005157474.tif 000003
【図２】
2005157474.tif 000004
【図３】
2005157474.tif 000005